(57)【要約】【課題】簡単な構造でパウチ容器を確実に固定し、さらに固定強度を高めて繰り返し使用することができるパウチ容器ディスペンサーを提供する。【解決手段】本体および前記本体にスライド可能に取り付けられたストッパーを備えるパウチ容器ディスペンサーであって、前記本体の上面には開口を有する凹部が設けられ、前記ストッパーは略Ｕ字状の開口を有し、前記凹部の対向する２つの側面に沿って水平方向にスライド可能に取り付けられており、前記凹部の開口にパウチ容器のスパウトを挿入した状態で前記ストッパーを前記本体の開口に近づく方向にスライドさせると、前記パウチ容器のスパウトの鍔部が前記ストッパーの溝内へと挿入されることにより、前記パウチ容器が保持される。【選択図】図１
2019196222.tif 000002
【特許請求の範囲】
【請求項１】
本体、および、前記本体にスライド可能に取り付けられたストッパーを備えたパウチ容器ディスペンサーであって、
前記本体は上面および側面を有し、前記上面には、少なくとも２つの側面および底面を有する凹部が設けられ、前記凹部の底面には、パウチ容器のスパウトが挿入される開口が設けられており、前記凹部の２つの対向する側面は、互いに平行に配置されており、
前記ストッパーは平面視略Ｕ字状の開口を有し、前記凹部の対向する２つの側面に沿って水平方向にスライド可能に取り付けられており、前記ストッパーの開口の縁に沿って水平方向に切り欠かれた溝が設けられており、
前記ストッパーを前記本体の開口から離れる方向にスライドさせると、前記本体の側面から水平方向に突出し、前記本体の開口に下方から前記パウチ容器のスパウトを挿入できる状態となり、
前記本体の開口に前記パウチ容器のスパウトを挿入した状態で前記ストッパーを前記本体の開口に近づく方向にスライドさせると、前記パウチ容器のスパウトの鍔部が前記ストッパーの溝内へと挿入されることにより、前記パウチ容器が保持されることを特徴とするパウチ容器ディスペンサー。
【請求項２】
前記パウチ容器を保持した状態では、前記ストッパーは、前記凹部内に位置することを特徴とする、請求項１に記載のパウチ容器ディスペンサー。
【請求項３】
前記凹部の２つの対向する側面は、前記本体から上方に突出するリブの側面であり、
前記パウチ容器を保持した状態では、前記ストッパーは、前記凹部、前記本体の上面の凹部以外の部分、および、前記リブを覆っていることを特徴とする、請求項１に記載のパウチ容器ディスペンサー。
【請求項４】
前記凹部の一部は前記本体の側面と繋がって開放されていることを特徴とする、請求項１〜３のいずれか１項に記載のパウチ容器ディスペンサー。
【請求項５】
前記パウチ容器のスパウトに設けられた互いに平行な２つの側面が、前記ストッパーの略Ｕ字状の開口の縁の互いに平行な直線部分と接触し、前記パウチ容器のスパウトは回転しないように前記ストッパーによって固定されていることを特徴とする、請求項１〜４のいずれか１項に記載のパウチ容器ディスペンサー。
【請求項６】
前記本体の底は開口となっていることを特徴とする、請求項１〜４のいずれか１項に記載のパウチ容器ディスペンサー。  
【請求項７】
前記本体の側面の下端には切り欠きが設けられていることを特徴とする、請求項６に記載のパウチ容器ディスペンサー。
【請求項８】
前記本体は、上部本体と下部本体とに上下に分割され、前記下部本体は底面を有し、前記上部本体は前記下部本体に対して着脱可能に取り付けられていることを特徴とする、請求項１〜７のいずれか１項に記載のパウチ容器ディスペンサー。
【請求項９】
前記下部本体の底面に、水抜き孔が設けられていることを特徴とする、請求項８に記載のパウチ容器ディスペンサー。
【請求項１０】
前記凹部は前記本体の側面に沿って下方へと延伸されていることを特徴とする、請求項１〜９のいずれか１項に記載のパウチ容器ディスペンサー。
【請求項１１】
２つの前記ストッパーが前記本体にスライド可能に取り付けられており、２つの前記ストッパーを互いに近づける方向にスライドさせると、２つの前記略Ｕ字状の開口が繋がって１つの開口となり、前記パウチ容器のスパウトは回転しないように２つの前記ストッパーによって固定され、保持されることを特徴とする、請求項１〜１０のいずれか１項に記載のパウチ容器ディスペンサー。
【請求項１２】
前記ストッパーのスライドを停止する停止部材を設けたことを特徴とする、請求項１〜１１のいずれか１項に記載のパウチ容器ディスペンサー。
【発明の詳細な説明】
【技術分野】
【０００１】
本発明は、パウチ容器ディスペンサーに関する。
【背景技術】
【０００２】
化粧料等の詰め替え用のレフィル容器として、スパウト付きのパウチ容器（特許文献１参照）が用いられている。パウチ容器内に収容された液体等の収容物を使用するためにはパウチ容器から容器への詰め替え作業が必要であるが、詰め替え作業時にパウチを手に持ちながらキャップを開ける動作を行うことから、この際に、収容物がスパウトから溢れでる、あるいは容器の口から零れるといった問題があった。
【０００３】
このような問題を解決するために、パウチ容器をホルダーなどを用いて、収容物を詰め替えることなくパウチ容器を使用する方法が用いられている。例えば、特許文献２には、箱体の係止壁部によって収納体（パウチ容器）の口部を挟み込んで固定する容器が記載されている。また、特許文献３には、支持部の係合溝にパウチ容器の首部を嵌合して固定するホルダーが記載されている。
【先行技術文献】
【特許文献】
【０００４】
【特許文献１】特開２０１６−８０５５号公報
【特許文献２】特開平０７−２２３６８９号公報
【特許文献３】特開２００８−２８５１７８号公報
【発明の概要】
【発明が解決しようとする課題】
【０００５】
従来のパウチ容器を固定して使用する容器、ホルダーなどは、パウチ容器のスパウトのキャップの開閉の際に、固定強度が不十分で不安定となる問題が生じている。例えば、パウチ容器の首部を一対の箱体で左右から挟み込んで固定するだけでは、スパウトを回転させる力が作用すると、一対の箱体が開くように力が作用し、十分に固定できない可能性がある。また、ホルダーの場合は、板状の部材を折り曲げた形状であり、ホルダー自体の強度が不足しており、パウチ容器の首部を押えなければキャップの開閉は困難である。さらに、このような従来技術では、繰り返し使用しているとスパウトの固定状態が不十分になるという問題がある。
【０００６】
そこで、本発明は簡単な構造で、パウチ容器を確実に固定し、さらに、固定強度を高めることで繰り返し使用することができるパウチ容器ディスペンサーを提供することを目的とする。  
【課題を解決するための手段】
【０００７】
本発明のパウチ容器ディスペンサーは、本体、および、前記本体にスライド可能に取り付けられたストッパーを備え、前記本体は上面および側面を有し、前記上面には、少なくとも２つの側面および底面を有する凹部が設けられ、前記凹部の底面には、パウチ容器のスパウトが挿入される開口が設けられており、前記凹部の２つの対向する側面は、互いに平行に配置されており、前記ストッパーは平面視略Ｕ字状の開口を有し、前記凹部の対向する２つの側面に沿って水平方向にスライド可能に取り付けられており、前記ストッパーの開口の縁に沿って水平方向に切り欠かれた溝が設けられており、前記ストッパーを前記本体の開口から離れる方向にスライドさせると、前記本体の側面から水平方向に突出し、前記本体の開口に下方から前記パウチ容器のスパウトを挿入できる状態となり、前記本体の開口に前記パウチ容器のスパウトを挿入した状態で前記ストッパーを前記本体の開口に近づく方向にスライドさせると、前記パウチ容器のスパウトの鍔部が前記ストッパーの溝内へと挿入されることにより、前記パウチ容器が保持されることを特徴とする。
【０００８】
前記パウチ容器を保持した状態では、前記ストッパーは、前記凹部内に位置する。
【０００９】
または、前記凹部の２つの対向する側面は、前記本体から上方に突出するリブの側面であり、前記パウチ容器を保持した状態では、前記ストッパーは、前記凹部、前記本体の上面の凹部以外の部分、および、前記リブを覆っている。
【００１０】
前記凹部の一部は前記本体の側面と繋がって開放されている。
【００１１】
前記パウチ容器のスパウトに設けられた互いに平行な２つの側面が、前記ストッパーの略Ｕ字状の開口の縁の互いに平行な直線部分と接触し、前記パウチ容器のスパウトは回転しないように前記ストッパーによって固定されている。
【００１２】
前記本体の底は開口となっており、前記本体の側面の下端には切り欠きが設けられている。
【００１３】
前記本体は、上部本体と下部本体とに上下に分割され、前記下部本体は底面を有し、前記上部本体は前記下部本体に対して着脱可能に取り付けられており、前記下部本体の底面に、水抜き孔が設けられている。
【００１４】
前記凹部は前記本体の側面に沿って下方へと延伸されている。
【００１５】
２つの前記ストッパーが前記本体にスライド可能に取り付けられており、２つの前記ストッパーを互いに近づける方向にスライドさせると、２つの前記略Ｕ字状の開口が繋がって１つの開口となり、前記パウチ容器のスパウトは回転しないように２つの前記ストッパーによって固定され、保持される。
【００１６】
前記ストッパーのスライドを停止する停止部材を設ける。
【発明の効果】
【００１７】
本発明のパウチ容器ディスペンサーは、本体、および、前記本体にスライド可能に取り付けられたストッパーを備え、前記本体は上面および側面を有し、前記上面には、少なくとも２つの側面および底面を有する凹部が設けられ、前記凹部の底面には、パウチ容器のスパウトが挿入される開口が設けられており、前記凹部の２つの対向する側面は、互いに平行に配置されており、前記ストッパーは平面視略Ｕ字状の開口を有し、前記凹部の対向する２つの側面に沿って水平方向にスライド可能に取り付けられており、前記ストッパーの開口の縁に沿って水平方向に切り欠かれた溝が設けられており、前記ストッパーを前記本体の開口から離れる方向にスライドさせると、前記本体の側面から水平方向に突出し、前記本体の開口に下方から前記パウチ容器のスパウトを挿入できる状態となり、前記本体の開口に前記パウチ容器のスパウトを挿入した状態で前記ストッパーを前記本体の開口に近づく方向にスライドさせると、前記パウチ容器のスパウトの鍔部が前記ストッパーの溝内へと挿入されることにより、前記パウチ容器が保持されることにより、パウチ容器のスパウトを固定する前記ストッパーは、前記本体の凹部の２つの側面によって変形が阻止されていることから、前記パウチ容器のスパウトは確実に固定され、かつ、繰り返し使用した場合でも前記ストッパーは変形することなく十分な固定強度を維持することができ、さらに、前記ストッパーによってパウチ容器ディスペンサーの上部の剛性が向上される。
【００１８】
前記パウチ容器のスパウトに設けられた互いに平行な２つの側面が、前記ストッパーの略Ｕ字状の開口の縁の互いに平行な直線部分と接触し、前記パウチ容器のスパウトは回転しないように前記ストッパーによって固定されていることにより、前記スパウトが空回りするのを防止し、前記パウチ容器のキャップをスムーズに開閉することができるようになる。
【００１９】
前記本体の底は開口となっており、前記本体の側面の下端には切り欠きが設けられていることにより、水回りで使用する場合、パウチ容器ディスペンサー内に水が溜まらないことから、清潔な状態を保つことができる。
【００２０】
前記本体は、上部本体と下部本体とに上下に分割され、前記下部本体は底面を有し、前記上部本体は前記下部本体に対して着脱可能に取り付けられていることにより、パウチ容器ディスペンサー自体の強度を高くすることができる。
【００２１】
２つの前記ストッパーが前記本体にスライド可能に取り付けられており、２つの前記ストッパーを互いに近づける方向にスライドさせると、２つの前記略Ｕ字状の開口が繋がって１つの開口となり、前記パウチ容器のスパウトは回転しないように２つの前記ストッパーによって固定され、保持される構造とすることにより、左右対称な形状とすることができるのでデザイン性を高めることができる。
【図面の簡単な説明】
【００２２】
【図１】本発明の第１の実施形態のパウチ容器ディスペンサーの斜視図であり、パウチ容器が取り付けられた状態を示す。
【図２】第１の実施形態のパウチ容器ディスペンサーの斜視図であり、パウチ容器を取り付ける前の状態を示す。
【図３】（ａ）はストッパーの斜視図であり、（ｂ）はストッパーの平面図である。
【図４】本体の凹部を拡大した斜視図である。
【図５】パウチ容器ディスペンサーのパウチ容器を固定している部分の互いに直交する２つの断面図である。
【図６】第１の実施形態のパウチ容器ディスペンサーの斜視図であり、本体に下方からパウチ容器を挿入する状態を示す。
【図７】第１の実施形態のパウチ容器ディスペンサーの斜視図であり、パウチ容器ディスペンサーの開口にパウチ容器のスパウトを挿入した状態を示す。
【図８】第１の実施形態のパウチ容器ディスペンサーにパウチ容器を固定する手順を示す平面図である。
【図９】パウチ容器のスパウトとキャップを拡大した斜視図である。
【図１０】本発明の第２の実施形態のパウチ容器ディスペンサーの斜視図であり、パウチ容器が取り付けられた状態を示す。
【図１１】第２の実施形態のパウチ容器ディスペンサーの正面図であり、パウチ容器が取り付けられた状態を示す。
【図１２】第２の実施形態のパウチ容器ディスペンサーの正面図であり、上部本体を開いた状態を示す。
【図１３】第２の実施形態のパウチ容器ディスペンサーの斜視図であり、上部本体を開いた状態を示す。
【図１４】第２の実施形態のパウチ容器ディスペンサーの斜視図であり、上部本体を開いてパウチ容器をセットした状態を示す。
【図１５】第２の実施形態のパウチ容器ディスペンサーの斜視図であり、パウチ容器をセットして上部本体を閉じた状態を示す。
【図１６】第２の実施形態のパウチ容器ディスペンサーの下方からの斜視図である。
【図１７】本発明の第３の実施形態のパウチ容器ディスペンサーの斜視図であり、パウチ容器が取り付けられた状態を示す。
【図１８】第３の実施形態のパウチ容器ディスペンサーの斜視図であり、２つのストッパーを互いに離れる方向にスライドさせた状態を示す。
【図１９】第３の実施形態のパウチ容器ディスペンサーの斜視図であり、２つのストッパーを互いに離れる方向にスライドさせて、パウチ容器をセットした状態を示す。
【図２０】第３の実施形態のパウチ容器ディスペンサーにパウチ容器を取り付ける手順を示す平面図である。
【図２１】本発明の第４の実施形態のパウチ容器ディスペンサーの斜視図であり、パウチ容器が取り付けられた状態を示す。
【図２２】第４の実施形態のパウチ容器ディスペンサーの斜視図であり、パウチ容器を取り付ける前の状態を示す。
【図２３】（ａ）はストッパーの斜視図であり、（ｂ）はストッパーの底面図である。
【図２４】本体の上部を拡大した斜視図である。
【図２５】パウチ容器ディスペンサーのパウチ容器を固定している部分の互いに直交する２つの断面図である。
【図２６】第４の実施形態のパウチ容器ディスペンサーの斜視図であり、パウチ容器ディスペンサーの開口にパウチ容器のスパウトを挿入した状態を示す。
【図２７】本発明の第５の実施形態のパウチ容器ディスペンサーの斜視図であり、パウチ容器が取り付けられた状態を示す。
【図２８】第５の実施形態のパウチ容器ディスペンサーの斜視図であり、パウチ容器を取り付ける前の状態を示す。
【図２９】第５の実施形態のパウチ容器ディスペンサーの斜視図であり、パウチ容器ディスペンサーの開口にパウチ容器のスパウトを挿入した状態を示す。
【図３０】本体の上部および本体から取り外した状態の２つのストッパーの斜視図である。
【発明を実施するための形態】
【００２３】
本発明のパウチ容器ディスペンサー１を、図を用いて以下に詳細に説明する。図１，２が本発明の第１の実施形態のパウチ容器ディスペンサー１の斜視図であり、図５が断面図である。
【００２４】
本発明の第１の実施形態のパウチ容器ディスペンサー１は、図１，２に示すように、本体２、前記本体２にスライド可能に取り付けられたストッパー３を備えており、前記本体２内に収容したパウチ容器４のスパウト４２を前記ストッパー３で固定することで、パウチ容器４をそのまま容器の一部として使用することができる。
【００２５】
前記本体２は上面および筒状の側面を有し、底の部分は開口となっており、下方に向かって徐々に広がった裾広がりの形状を有している。前記本体２の底の開口から前記パウチ容器４を挿入して前記本体２内に前記パウチ容器４を収容する。前記本体２は上面および側面は一体形成されており、側面の下端には切り欠き７が２箇所設けられている。前記本体２は裾広がりの形状を有することにより、安定性を高めることができる。また、前記本体２の底の部分が開口となっていることにより、水回りで使用する場合に水切りが容易で清潔に保つことができ、さらに、前記本体２の内部が汚れても簡単に洗うことができる。
【００２６】
前記本体２の上面には、平面視略矩形の凹部５が設けられている。図４に示すように、前記凹部５は底面および３つの側面から構成され、３つの側面は略コ字状に配置されており、２つの側面は対向し互いに平行に配置され、平行な２つの側面の一端は残りの１つの側面によって接続され、平行な２つの側面の他端は前記本体２の側面と繋がっていることで、前記凹部５の一部分１５は、前記本体２の側面と繋がって開放され、前記本体２の側面に沿って下方へと延伸されており、前記ストッパー３をスライドさせる際に、前記ストッパー３を下方から指で引っ張るためのスペースとなる。
【００２７】
前記凹部５の平行な２つの側面には、前記ストッパー３を所定の範囲でスライドさせるために、図４に示すように、前記本体２内と連通される開口８が設けられている。そして、前記ストッパー３のスライドを停止するために、前記開口８の上部には上方に突出した２つの半円柱状の切り欠き９を設けている。前記凹部５の底面には円形の開口６が設けられており、前記本体２内にパウチ容器４を収容した時に、前記パウチ容器４のスパウト４２が前記開口６に挿入されて突出する。前記凹部５の平行な２つの側面を繋ぐ１つの側面は、前記開口６の一部に沿った曲面を有している。
【００２８】
前記ストッパー３は、図３に示すように、平面視略Ｕ字状の開口１０を有し、前記略Ｕ字状の開口１０は、水平方向に切り欠かれた溝１１が縁に沿って、図３（ｂ）に破線で示すように、略Ｕ字状に設けられている。前記溝１１は、前記パウチ容器４のスパウト４２の鍔部４５が挿入可能な大きさに設定されている。前記ストッパー３の平行な２つの側面には、それぞれ水平方向に突出する凸部１２が設けられており、前記凸部１２が前記本体２の凹部５の側面の開口８に挿入され、前記開口８内でスライド可能に係合されることにより、前記ストッパー３を、前記本体２に対してスライド可能に取り付けることができる。
【００２９】
前記凸１２の上面には半円柱状の１つの突起１３が設けられている。前記突起１３は前記凹部５の平行な２つの側面の開口８にそれぞれ２つずつ設けられた半円柱状の切り欠き９と係合する大きさであり、前記突起１３および前記切り欠き９が、前記ストッパー３を所定の位置で停止させるための停止部材となる。前記突起１３が係合される２つの半円柱状の切り欠き９のうち１つの切り欠き９は、前記突起１３が係合した時に、前記ストッパー３が前記本体２の開口６から離れて前記パウチ容器４が着脱できる状態となる位置に設けられ、もう１つの切り欠き９は、前記ストッパー３によって前記パウチ容器４を固定した状態となる位置に設けられている。これにより、前記ストッパー３を、前記パウチ容器４を固定する位置（図８（ｃ）の位置）、および、前記パウチ容器４をパウチ容器ディスペンサー１に着脱する位置（図８（ａ），（ｂ）の位置）でそれぞれ停止させて固定することができる。そして、前記突起１３と前記切り欠き９との係合を解除すると、前記ストッパー３は、前記パウチ容器４を固定する位置（図８（ｃ）の位置）と、前記パウチ容器４をパウチ容器ディスペンサー１に着脱する位置（図８（ａ），（ｂ）の位置）との間でスライド可能となる。
【００３０】
前記パウチ容器ディスペンサー１に使用するパウチ容器４について説明する。前記パウチ容器４は、図６に示すように、袋状のパウチ４１にスパウト４２を設けた容器であり、前記スパウト４２をキャップ４３で密閉している一般的なパウチ容器である。前記スパウト４２の側面には、図９に示すように、少なくとも２つの平行な面４４が含まれている。これは、前記パウチ容器４内に収容物を充填作業時に前記スパウト４２を保持して固定するためなどに用いられる部分である。また、前記スパウト４２の側面には少なくとも１つの鍔部４５が設けられている。前記パウチ容器ディスペンサー１は、前記パウチ容器４の２つの平行な面４４および鍔部４５を利用して前記パウチ容器４を固定する。
【００３１】
前記ストッパー３が前記パウチ容器４のスパウト４２の側面に当接し、より強固に固定するために、前記略Ｕ字状の開口１０の縁は、図３に示すように、前記溝１１よりも上側の面は、前記スパウト４２の２つの平行な面４４を含む側面に合わせた形状とし、前記溝１１よりも下側の面は、前記スパウト４２の鍔部４５よりも下の円柱形の側面に合わせた曲面としている。
【００３２】
前記パウチ容器４を前記パウチ容器ディスペンサー１に取り付ける方法について説明する。図２に示すのは、前記パウチ容器４を取り付ける前の前記パウチ容器ディスペンサー１の斜視図である。この時、前記ストッパー３は前記本体２の開口６から離れる方向にスライドさせてあり、前記ストッパー３の突起１３は前記本体２の凹部５の側面の開口８の切り欠き９の１つと係合されて固定されている。これにより、前記本体２の凹部５の開口６は開いた状態となっている。
【００３３】
このような状態のパウチ容器ディスペンサー１の本体２の底の開口から、図６に示すように、前記パウチ容器４を前記本体２内へと挿入し、前記パウチ容器４のスパウト４２を前記本体２の凹部５の開口６に下方から挿入する。この時、前記パウチ容器４は未使用であり、前記スパウト４２は前記キャップ４３によって閉じられていることから、前記開口６は前記キャップ４３が通過可能な大きさに設定している。
【００３４】
図７に示すように、前記キャップ４３を閉めた状態の前記パウチ容器４のスパウト４２を前記開口６に挿入した後、まずは、前記ストッパー３を押して、前記パウチ容器４の前記本体２の方向に力を加えることにより前記突起１３と前記本体２の切り欠き９との係合を解除し、その後、前記ストッパー３を前記スパウト４２に向かってスライドさせる。
【００３５】
前記ストッパー３を前記本体２の開口６から突出している前記スパウト４２に向かってスライドさせると、前記ストッパー３の略Ｕ字状の開口１０内に水平方向に前記スパウト４２の側面が挿入されることになる。この時、前記ストッパー３の溝１１内に前記スパウト４２の鍔部４５が挿入され、前記ストッパー３の略Ｕ字状の開口１０の縁の互いに平行な直線部分は、前記スパウト４２の平行な面４４と接するようになる。
【００３６】
前記ストッパー３のスライドは、前記ストッパー３の進行方向の前方に位置する面が前記凹部５の側面と接し、前記ストッパー３の突起１３が前記本体２のもう１つの切り欠き９に係合されることによって停止される。この時、図５（ａ）、（ｂ）に示すように、前記ストッパー３の略Ｕ字状の開口１０の溝１１の半円部分にも前記スパウト４２の鍔部４５が挿入されている。このようにして、前記ストッパー３による前記パウチ容器４の固定が完了する。
【００３７】
前記ストッパー３の突起１３が前記本体２の切り欠き９と係合されて前記ストッパー３のスライドは停止されていることにより、前記スパウト４２の水平方向への移動は阻止されており、前記ストッパー３は停止された状態が保持される。さらに、前記ストッパー３の溝１１に前記スパウト４２の鍔部４５が挿入されていることにより、前記スパウト４２の垂直方向への移動は阻止されていることから、前記スパウト４２は前記ストッパー３によって前記本体２から外れないように固定された状態となる。そして、前記ストッパー３の略Ｕ字状の開口１０の縁の互いに平行な直線部分が、前記スパウト４２の平行な面４４と接していることから、前記ストッパー３によって前記スパウト４２の回転は阻止された状態となっている。
【００３８】
このようにして、前記ストッパー３により、前記スパウト４２は垂直方向および水平方向への移動および回転が阻止されていることから、前記パウチ容器４は前記パウチ容器ディスペンサー１に確実に固定された状態となる。このように前記パウチ容器４を前記パウチ容器ディスペンサー１に固定した後に、前記パウチ容器４のキャップ４３を開けることで、前記パウチ容器４内の収容物を使用することが出来るようになる。そのために、本発明のパウチ容器ディスペンサー１は、パウチ容器４を固定するまでキャップ４３を開ける必要が無いことから、パウチ容器４から収容物が溢れる、零れるといった問題を解決することができる。
【００３９】
そして、前記スパウト４２を固定している前記ストッパー３の２つの側面は、図８（ｃ）に示すように、前記本体２の凹部５の２つの平行な側面と接しており、前記ストッパー３は、略Ｕ字状の開口１０が開く方向に変形しないように保持されていることから、繰り返し使用した場合でも前記ストッパー３の変形によって前記スパウト４２の固定強度が弱まることが無いので、本発明のパウチ容器ディスペンサー１は、長期間、十分な固定強度を維持することができるようになり、耐久性が向上するという効果を奏する。
【００４０】
前記パウチ容器４を前記パウチ容器ディスペンサー１に取り付けて使用する際に、前記スパウト４２にポンプを取り付けて使用することも可能である。この場合、図１に示すように、前記パウチ容器４を前記パウチ容器ディスペンサー１に固定した後、キャップ４３を取り外してポンプを取り付けることができるので、前記パウチ容器４を取り付ける作業時にキャップ４３を閉じた状態を保つことになる。そして、前記パウチ容器ディスペンサー１は、前記ストッパー３によって垂直方向にも強固に固定されており、前記本体２も安定した構造および形状を有していることから、パウチ容器４に取り付けたポンプを使用する場合でも安定して作業することができる。
【００４１】
前記パウチ容器４の収容物が無くなり空になり、前記パウチ容器４を前記パウチ容器ディスペンサー１から取り外す場合、初めに、前記凹部５の一部分１５に指を入れ、前記ストッパー３の縁に下から指を掛けて前記本体２から離れる方向に力を加えて、前記ストッパー３の突起１３と前記本体２の凹部５の側面の開口８の切り欠き９との係合を解除し、その後、前記ストッパー３を前記本体２の開口６から離れる方向にスライドさせる。そして、前記ストッパー３の突起１３が前記本体２の凹部５の側面の開口８のもう１つの切り欠き９と係合されると、前記ストッパー３のスライドが停止される。
【００４２】
前記ストッパー３のスライドが停止された時には、図７に示すように、前記ストッパー３は前記パウチ容器４のスパウト４２から離れており、前記パウチ容器４の固定は解除されている。このようにして、前記パウチ容器４の前記ストッパー３による固定が解除されると、前記パウチ容器ディスペンサー１を上方へと移動させると、前記パウチ容器４は前記本体２の底の開口から下方に取り出された状態となる。
【００４３】
このようなパウチ容器４を前記パウチ容器ディスペンサー１から取り外す動作を行う際にも、前記パウチ容器４のスパウト４２にはキャップ４３を閉めた状態で行うことが出来るので、前記パウチ容器４に残っている収容物を零すことなく作業することができる。前記スパウト４２にポンプを取り付けている場合は、ポンプを取り外し、キャップ４３を閉めた状態で行う。
【００４４】
前記パウチ容器ディスペンサー１は、前記ストッパー３をスライドさせるという簡単な動作で、確実にパウチ容器４を固定することができる。そして、前記ストッパー３は前記凹部５内に保持されていることで、前記パウチ容器４のキャップ４３を開ける際、前記スパウト４２を介して前記ストッパー３を回転させる方向に力が作用したとしても、前記凹部５の２つの平行な側面によって回転方向に作用した力が打ち消されるために、前記パウチ容器４を固定する強度を向上させることができ、前記パウチ容器４にポンプを付けて使用する場合でも十分な固定強度を確保し、パウチ容器ディスペンサー１の耐久性を向上させることができる。
【００４５】
次に、本発明の第２の実施形態のパウチ容器ディスペンサー１’について図を用いて以下に詳細に説明する。図１０，１３〜１６が本発明の第２の実施形態のパウチ容器ディスペンサー１’の斜視図であり、図１１，１２が正面図である。第２の実施形態のパウチ容器ディスペンサー１’は、本体２’を上下に分割した形態であり、ストッパー３については第１の実施形態のパウチ容器ディスペンサーと同じものを用いていることから、本体２’を中心に説明する。また、前記パウチ容器ディスペンサー１’に取り付けるパウチ容器４についても第１の実施形態と同じものを用いることから詳細な説明は省略する。
【００４６】
第２の実施形態のパウチ容器ディスペンサー１’は、図１０，１１に示すように、本体２’、前記本体２’にスライド可能に取り付けられたストッパー３を備えており、前記本体２’内に収容したパウチ容器４のスパウト４２を前記ストッパー３で固定することで、パウチ容器４を詰め替えることなくそのまま使用することができる。
【００４７】
前記本体２’は上部本体２１と下部本体２２とに上下に分割されており、前記上部本体２１は前記下部本体２２に着脱可能に取り付けられている。前記上部本体２１は上面と側面を有し、前記下部本体２２は側面と底面とを有する。図１０，１１に示すように、前記上部本体２１の側面と前記下部本体２２の側面がヒンジ２３によってヒンジ係合され、前記上部本体２１が前記ヒンジ２３によって前記下部本体２２に対して開閉可能に取り付けられている。そして、前記上部本体２１と前記下部本体２２は、図１１に示すように、前記ヒンジ２３と対向する位置に設けられている固定部材２４によって互いに固定される。前記パウチ容器ディスペンサー１’は、このように、底面を有する構造の本体２’を用いることで強度および安定性を高めることができる。
【００４８】
前記固定部材２４は、図１１に示すように前記上部本体２１の側面に下方へと延伸するように設けられたタブと、図１２に示すように前記下部本体２２の側面に設けられたフックから構成される。前記上部本体２１を前記下部本体２２に固定する際には、前記タブに設けられた開口内に前記フックを挿入して引っ掛けるようにして係合させることによって固定する。そして、前記固定部材２４による固定を解除する際には、前記タブを引っ張って前記フックから離脱させて係合を解除する。前記固定部材２４の構造については限定するものではなく、他の構造を用いることも可能である。
【００４９】
前記本体２’は、上面に近い箇所で上部本体２１と下部本体２２とに上下に分割されているが、分割箇所はこれに限定するものではなく、前記本体２’の上端で分割し、前記上部本体２１を蓋のような形状とすることも可能であり、また、前記本体２’の下端で分割し、前記下部本体２２を底蓋のような形状とすることも可能である。また、前記上部本体２１を前記下部本体２２に着脱可能に取り付ける構造は、ヒンジを用いた構造に限定するものではなく、ヒンジを用いないで着脱可能な構造とすることも可能である。
【００５０】
前記下部本体２２の底面には、図１６に示すように、側面へと繋がる複数のスリット形状の水抜き孔２５を設けている。前記パウチ容器ディスペンサー１’を水回りで使用する際に、前記本体２’内に水が入った場合、前記水抜き孔２５によって水を排出することができる。前記水抜き孔２５の形状はスリットに限定するものではなく、複数の円形または矩形の孔等も可能である。
【００５１】
前記本体２’の上部本体２１の上面には、第１の実施形態と同様に、平面視略矩形の凹部５が設けられており、前記凹部５は底面および３つの側面から構成され、３つの側面は略コ字状に配置されている。そして、前記凹部５の一部分１５は、前記本体２’の上部本体２１の側面に沿って下方へと延伸されており、前記ストッパー３をスライドさせる際に、前記ストッパー３を下方から指で引っ張るためのスペースとなる。前記ストッパー３および前記ストッパー３を前記凹部５にスライド可能に取り付ける構造は、第１の実施形態と同様であることから詳細な説明は省略する。
【００５２】
次に、パウチ容器４を第２の実施形態のパウチ容器ディスペンサー１’に取り付ける方法について説明する。パウチ容器４をパウチ容器ディスペンサー１’に取り付けるために、初めに、前記ストッパー３を前記本体２’の開口６から離れる方向にスライドさせておくが、この時、前記ストッパー３の突起１３は前記本体２’の上部本体２１の凹部５の側面の開口８の切り欠き９の１つと係合されて前記ストッパー３は停止されている。これにより、前記本体２’の上部本体２１の凹部５の開口６は開いた状態となっている。
【００５３】
そして、前記上部本体２１と前記下部本体２２の固定部材２４による固定を解除し、図１２，１３に示すように、前記上部本体２１をひっくり返すように移動させると、前記本体２’は、前記下部本体２２の開口が開いた状態となる。このような状態になったら、前記パウチ容器４を前記下部本体２２内に上から入れる。図１４に示すように、前記パウチ容器４を前記下部本体２２にセットしたら、前記上部本体２１を移動させて、前記下部本体２２に固定する。
【００５４】
この時、前記上部本体２１の開口６は開いていることから、前記上部本体２１の移動によって前記パウチ容器４のスパウト４２は、図１５に示すように、前記上部本体２１の開口６へと挿入される。前記上部本体２１を前記固定部材２４（図示せず）によって前記下部本体２２に固定すると、前記パウチ容器４のスパウト４２は前記本体２１の開口６から上方に突出した状態となる。この時、前記パウチ容器４のスパウト４２は前記キャップ４３によって閉じられた状態のまま、前記開口６に挿入される。
【００５５】
図１５に示すように、前記上部本体２１を前記下部本体２２に固定した後、前記ストッパー３を前記本体２’に向かって押すように力を加えることにより、前記突起１３と前記本体２’の切り欠き９との係合を解除し、その後、前記ストッパー３をスライドさせる。前記ストッパー３を前記スパウト４２に向かってスライドさせると、前記ストッパー３の溝１１内に前記スパウト４２の鍔部４５が挿入され、前記ストッパー３の略Ｕ字状の開口１０の縁の互いに平行な直線部分は、前記スパウト４２の平行な面４４と接するようになる。
【００５６】
前記ストッパー３のスライドは、前記ストッパー３の進行方向の前方に位置する面が、前記凹部５の側面と接し、前記ストッパー３の突起１３が前記本体２’のもう１つの切り欠き９に係合されることによって停止される。この時、前記ストッパー３の略Ｕ字状の開口１０の溝１１の半円部分にも前記スパウト４２の鍔部４５が挿入されている。このようにして、図１０，１１に示すように、前記ストッパー３による前記パウチ容器４の固定が完了し、前記パウチ容器４は前記パウチ容器ディスペンサー１’に取付られて使用できる状態となる。
【００５７】
次に、前記パウチ容器４を前記パウチ容器ディスペンサー１’から取り外す方法について説明する。前記ストッパー３による前記パウチ４の固定を解除する方法は第１の実施形態と同様であり、前記ストッパー３の突起１３と前記本体２’の凹部５の側面の開口８の切り欠き９との係合を解除して、前記ストッパー３を前記パウチ容器４のスパウト４２から離れる方向にスライドさせると、図１５に示すように、前記パウチ容器４の固定は解除される。
【００５８】
その後、前記上部本体２１と前記下部本体２２の固定部材２４による固定を解除し、前記上部本体２１をひっくり返すように移動させると、前記パウチ容器４のスパウト４２から、前記上部本体２１は離れ、図１４に示すように、前記パウチ容器４の上方は開放されることから、前記下部本体２２から前記パウチ容器４を取り出すことができる。
【００５９】
このようなパウチ容器４を前記パウチ容器ディスペンサー１’から取り外す動作を、前記パウチ容器４のスパウト４２にキャップ４３を閉めらた状態で行うことができるので、前記パウチ容器４に残っている収容物が零れることなく作業することができる。
【００６０】
次に、本発明の第３の実施形態のパウチ容器ディスペンサー１’’について図を用いて以下に詳細に説明する。図１７〜１９が本発明の第３の実施形態のパウチ容器ディスペンサー１’’の斜視図であり、図２０が平面図である。前記パウチ容器ディスペンサー１’’に取り付けるパウチ容器４については第１，２の実施形態と同じものを用いることから詳細な説明は省略する。
【００６１】
第３の実施形態のパウチ容器ディスペンサー１’’は、図１７〜２０に示すように、本体２’’、前記本体２’’にスライド可能に取り付けられた２つのストッパー３’を備えており、前記本体２’’内に収容したパウチ容器４のスパウト４２を２つの前記ストッパー３’で挟んで固定することで、パウチ容器４をそのまま使用することができる。
【００６２】
前記本体２’’は上面および多角柱状側面を有し、底の部分は開口となっており、下方に向かって徐々に広がった形状を有しており、底の開口から前記パウチ容器４を挿入して収容する。前記本体２’’は上面および側面は一体形成されており、側面の下端には切り欠き７’が２箇所に対向するように設けられている。
【００６３】
前記本体２’’の上面には、平面視略矩形の凹部５’が設けられており、前記凹部５’は底面および対向する２つの側面から構成され、前記凹部５’の２つの側面は互いに平行に配置されており、前記本体２’’の対向する側面とそれぞれ繋がっており開放されている。これにより、前記凹部５’は、前記本体２’’の上面を横断する溝のような構造となっている。
【００６４】
前記凹部５’の平行な２つの側面には、２つの前記ストッパー３’を所定の範囲でスライドさせるために、前記本体２’’内と連通される開口８’が２つずつ設けられている。そして、前記ストッパー３’のスライドを停止するために、前記開口８’には、それぞれ上部に上方に突出した２つの半円柱状の切り欠き９’を設けている。前記凹部５’の底面には円形の開口６’が設けられており、前記本体２’’内にパウチ容器４を収容した時に、図１９に示すように、前記パウチ容器４のスパウト４２が前記開口６’に挿入されて突出する。
【００６５】
２つの前記ストッパー３’は、図１８に示すように、それぞれ平面視略Ｕ字状の開口１０’を有し、前記凹部５’内において略Ｕ字状の開口１０’が対向するように配置されている。そして、２つの前記ストッパー３’は互いに近づく方向および互いに離れる方向にスライド可能に前記凹部５’内に配置されている。２つの前記ストッパー３’は互いに近づく方向にスライドすると、２つの前記略Ｕ字状の開口１０’が繋がって１つの開口を形成する。
【００６６】
前記ストッパー３’の略Ｕ字状の開口１０’は、水平方向に切り欠かれた溝１１’が縁に沿って、図２０（ａ），（ｂ）に破線で示すように、略Ｕ字状に設けられている。前記溝１１’には、前記パウチ容器４のスパウト４２の鍔部４５がそれぞれ挿入され、最終的には２つの前記溝１１’に前記スパウト４２の鍔部４５はほぼ全てが挿入された状態となる。前記ストッパー３’の平行な２つの側面には、それぞれ水平方向に突出する凸部１２’が設けられており、前記凸部１２’が前記本体２’’の凹部５’の側面の開口８’に挿入され、前記開口８’内でスライド可能に係合されることにより、２つの前記ストッパー３’を、それぞれ前記本体２’’に対してスライド可能に取り付けることができる。
【００６７】
前記凸１２’の上面には１つの突起１３’が設けられており、前記突起１３’は前記凹部５’の平行な２つの側面の開口８’にそれぞれ２つずつ設けられた半円柱状の切り欠き９’と係合する。前記突起１３’が係合される２つの半円柱状の切り欠き９’のうち１つの切り欠き９は、前記突起１３’が係合した時に、２つの前記ストッパー３’が前記本体２’’の開口６’から離れ、２つの前記ストッパー３’が互いに離れた状態となる位置に設けられ、もう１つの切り欠き９’は、２つの前記ストッパー３’が互いに近づいて接触し、前記パウチ容器４を固定する状態となる位置に設けられている。
【００６８】
これにより、前記ストッパー３’を、前記パウチ容器４を固定する位置（図２０（ｃ）の位置）、および、前記パウチ容器４をパウチ容器ディスペンサー１’’に着脱する位置（図２０（ａ），（ｂ）の位置）で固定することができる。そして、前記突起１３’と前記切り欠き９’との係合を解除すると、前記ストッパー３’は、前記パウチ容器４を固定する位置（図２０（ｃ）の位置）と、前記パウチ容器４をパウチ容器ディスペンサー１’’に着脱する位置（図２０（ａ），（ｂ）の位置）との間でスライド可能となる。
【００６９】
図１７に示すように、２つの前記ストッパー３’の表面には窪み１４が設けられている。前記窪み１４は前記ストッパー３’をスライドさせる際に、指先を入れてスライドし易くするためのものであり、平面視円形で湾曲面からなる形状を有している。前記窪み１４の代わりに突起を設けることも可能である。
【００７０】
前記パウチ容器４を第３の実施形態のパウチ容器ディスペンサー１’’に取り付ける方法について説明する。図１８，２０（ａ）に示すのは、前記パウチ容器４を取り付ける前の前記パウチ容器ディスペンサー１’’の斜視図である。この時、２つの前記ストッパー３’は互いに離れるようにスライドさせてあり、前記ストッパー３’の突起１３’は前記本体２’’の凹部５’の側面の開口８’の切り欠き９’の１つと係合されて固定されている。この時、前記本体２’’の凹部５’の開口６’は開いた状態となっている。
【００７１】
このような状態のパウチ容器ディスペンサー１’’の本体２’’の底の開口から、前記パウチ容器４を挿入し、前記パウチ容器４のスパウト４２を前記本体２’’の凹部５’の開口６’に下方から挿入する。この時、前記スパウト４２は前記キャップ４３によって閉じられた状態であることから、前記パウチ容器４の収容物が零れることなく安全に作業することができる。
【００７２】
図１９，２０（ｂ）に示すように、前記パウチ容器４のスパウト４２を前記開口６’に挿入した後、２つの前記ストッパー３’を互いに近づく方向に押すことにより、前記突起１３’と前記本体２’’の切り欠き９’との係合を解除し、２つの前記ストッパー３’を互いに近づけるようにスライドさせる。
【００７３】
２つの前記ストッパー３’を互いに近づく方向にスライドさせると、２つの前記ストッパー３’は前記スパウト４２を両側から挟みこむような状態となるが、この時、２つの前記ストッパー３’の溝１１’内に前記スパウト４２の鍔部４５が水平方向に挿入され、前記ストッパー３’の略Ｕ字状の開口１０’の縁の互いに平行な直線部分は、前記スパウト４２の平行な面４４と接するようになる。
【００７４】
２つの前記ストッパー３’のスライドは、２つの前記ストッパー３’が互いに接触し、前記ストッパー３’の突起１３’は前記本体２’’のもう１つの切り欠き９’に係合されることによって停止される。この時、２つの前記ストッパー３’の略Ｕ字状の開口１０’は繋がって１つの開口を形成し、１つの開口内に前記スパウト４２が位置することになる。そして、２つの前記ストッパー３’の略Ｕ字状の開口１０’の溝１１’内に、前記スパウト４２の鍔部４５のほぼ全周が挿入されている。このようにして、図１７，２０（ｃ）に示すような状態となり、２つの前記ストッパー３’による前記パウチ容器４の固定が完了する。
【００７５】
この時、２つの前記ストッパー３’の突起１３’が前記本体２’’の切り欠き９’と係合することで、２つの前記ストッパー３’のスライドは停止されていることにより、前記スパウト４２の水平方向への移動は阻止されている。そして、２つの前記ストッパー３’の溝１１’に前記スパウト４２の鍔部４５が挿入されていることにより、前記スパウト４２の垂直方向への移動は阻止されており、前記スパウト４２は２つの前記ストッパー３’によって前記本体２’’に固定された状態となる。そして、前記ストッパー３’の略Ｕ字状の開口１０’の縁の互いに平行な直線部分が、前記スパウト４２の平行な面４４と接していることから、２つの前記ストッパー３’によって前記スパウト４２の回転は阻止された状態となっている。このようにして、前記パウチ容器４の取り付けが完了した後、前記パウチ容器４のキャップ４３を開けると、前記パウチ容器４内の収容物を使用することが出来るようになる。
【００７６】
第３の実施形態のパウチ容器ディスペンサー１’’は、２つの前記ストッパー３’によって、前記スパウト４２の垂直方向および水平方向への移動、および、回転を阻止することで、前記パウチ容器４を前記パウチ容器ディスペンサー１’’に確実に固定することができる。
【００７７】
このように、第３の実施形態のパウチ容器ディスペンサー１’’も、パウチ容器４を固定するまでキャップ４３を開ける必要が無いことから、従来のような収容物が溢れる、零れるといった問題を解決することができる。
【００７８】
そして、前記スパウト４２を固定している２つの前記ストッパー３’の２つの側面は、前記本体２’’の凹部５’の２つの平行な側面と接しており、２つの前記ストッパー３’は、略Ｕ字状の開口１０が開く方向への変形が阻止されていることから、２つの前記ストッパー３’による前記スパウト４２の固定強度が弱まることが無く、長期間、十分な固定強度を維持することができるようになるので、耐久性が向上するという効果を奏する。
【００７９】
さらに、第３の実施形態のパウチ容器ディスペンサー１’’は、２つの前記ストッパー３’を前記本体２’’に対称に配置することができるので、デザイン性を高めることができる。
【００８０】
次に、前記パウチ容器４を前記パウチ容器ディスペンサー１’’から取り外す方法について説明する。２つの前記ストッパー３’による前記パウチ４の固定を解除するために、まずは、前記窪み１４を利用して２つの前記ストッパー３’に互いに離れる方向に力を加えて、２つの前記ストッパー３’の突起１３’と前記本体２’’の凹部５’の側面の開口８’の切り欠き９’との係合を解除し、その後、２つの前記ストッパー３’をさらに離れる方向へとスライドさせると、２つの前記ストッパー３’は前記パウチ容器４のスパウト４２から離れ、前記パウチ容器４の固定は解除される。
【００８１】
その後、２つの前記ストッパー３’の突起１３’が前記本体２’’の凹部５’の側面の開口８’のもう１つの切り欠き９’とそれぞれ係合されると、２つの前記ストッパー３’のスライドが停止される。２つの前記ストッパー３’のスライドが停止された時には、図１９，２０（ｂ）に示すように、２つの前記ストッパー３’は前記パウチ容器４のスパウト４２から離れており、前記パウチ容器４の固定は解除されている。このようにして、前記パウチ容器４の２つの前記ストッパー３’による固定が解除されると、前記本体２’’を上に持ち上げると、前記パウチ容器４は前記本体２’’の底の開口から取り出すことができる。
【００８２】
このようにパウチ容器４を前記パウチ容器ディスペンサー１’’から取り外す動作を行う際にも、前記パウチ容器４のスパウト４２にはキャップ４３を閉めた状態で行うことが出来るので、前記パウチ容器４に残っている収容物を零すことなく作業することができる。
【００８３】
さらに、第４の実施形態のパウチ容器ディスペンサー１０１について図を用いて以下に詳細に説明する。図２１，２２，２６が本発明の第４の実施形態のパウチ容器ディスペンサー１０１の斜視図であり、図２５が断面図である。第４の実施形態のパウチ容器ディスペンサー１０１は、本体１０２、および、前記本体１０２にスライド可能に取り付けられたストッパー１０３を備えており、前記本体１０２内に収容したパウチ容器４のスパウト４２を前記ストッパー１０３で固定することで、パウチ容器４をそのまま容器の一部として使用することができる。前記パウチ容器４については第１〜３の実施形態と同じものを用いることから詳細な説明は省略する。
【００８４】
前記本体１０２の全体の形状は、第１の実施形態の本体２と類似の形状を有しており、図２１，２２に示すように、下方に向かって徐々に広がった裾広がりの筒状の形状を有し、底の部分は開口となっている。そして、前記本体１０２の側面の下端には切り欠き１０７が対向するように２箇所設けられている。
【００８５】
図２４に示すように、前記本体１０２の上面には段差が設けられ、低い方の面の上に、互いに平行な２つのリブ１０８、および、平面視略矩形の凹部１０５が設けられている。前記凹部１０５は、底面および３つの側面から構成されているが、３つの側面のうち２つの側面は、２つの前記リブ１０８の側面であり、残りの１つの側面は、段差による側面である。
【００８６】
前記リブ１０８は、図２５（ａ）に示すように逆Ｌ字状の断面形状を有し、前記本体１０２の上面には、図２４に示すように、前記リブ１０８に沿って貫通孔１１５が設けられている。そして、前記ストッパー１０３のスライドを停止するための４つの半円柱状の突起１０９が、図２４に示すように、前記本体１０２の上面に、前記貫通孔１１５に沿って２つずつ設けられている。そして、前記凹部１０５の底面には、図２４に示すように、前記パウチ容器４のスパウト４２が挿入される、円形の開口１０６が設けられている。
【００８７】
前記ストッパー１０３は、図２１，２２，２５に示すように、前記本体１０２の上面の段差の低い方の面全体を覆う大きさおよび形状を有しており、前記パウチ容器４を固定した状態では、前記凹部１０５、前記本体１０２の上面の低い方の面、および、２つの前記リブ１０８を覆っており、前記ストッパー１０３の上面が、前記本体１０２の高い方の面と同じ高さであることから、前記前記本体１０２の上面の段差が解消され、平坦な状態となる。そして、前記ストッパー１０３は、平面視略Ｕ字状の開口１１０を有し、前記略Ｕ字状の開口１１０の縁には、水平方向に切り欠かれた溝１１１が、図２３（ｂ）に破線で示すように、略Ｕ字状に設けられている。
【００８８】
さらに、前記ストッパー１０３の底面には、図２３（ｂ）に示すように、前記略Ｕ字状の開口１１０を挟むように、互いに平行な２つの溝１１２が設けられている。前記溝１１２の断面は略コ字状であり、前記本体１０２のリブ１０８が水平方向に挿入される大きさを有している。これにより、前記溝１１２および前記リブ１０８は互いに水平方向にスライド可能となり、前記ストッパー１０３は前記本体１０２にスライド可能に取り付けられる。
【００８９】
前記ストッパー１０３の溝１１２を形成する側壁１１６の下端には、１つの半円柱状の窪み１１３が設けられている。前記ストッパー１０３の窪み１１３に、前記本体１０２の突起１０９が挿入されて係合することによって、前記ストッパー１０３を、前記パウチ容器４を固定する位置（図２１の位置）、および、前記パウチ容器４をパウチ容器ディスペンサー１０１に着脱する位置（図２２，２６の位置）でそれぞれ停止させて固定することができる。このように、前記窪み１１３および前記突起１０９がストッパー１０３を所定の位置で停止させるための停止部材として機能する。そして、前記突起１０９と前記窪み１１３との係合を解除すると、前記ストッパー１０３は、前記パウチ容器４を固定する位置と、前記パウチ容器４をパウチ容器ディスペンサー１０１に着脱する位置との間でスライド可能となる。
【００９０】
前記ストッパー１０３の側面の２箇所に複数の凹凸からなる滑り止め１１４が設けられており、前記滑り止め１１４を指で持って前記ストッパー１０３をスライドさせることで、前記ストッパー１０３の固定の解除、および、スライド操作を容易に行うことができる。前記滑り止め１１４の代わりに指先を入れる窪み等を側面に設けることも可能であり、他の形態を用いることも可能である。
【００９１】
前記パウチ容器４を前記パウチ容器ディスペンサー１０１に取り付けて固定する方法について説明する。図２２に示すように、前記パウチ容器４を取り付ける前の前記パウチ容器ディスペンサー１０１は、前記ストッパー１０３が前記本体１０２の開口１０６から離れる方向にスライドさせてあり、前記ストッパー１０３の窪み１１３は前記本体１０２の突起１０９の１つと係合されて固定されている。これにより、前記本体１０２の凹部１０５の開口１０６は開いた状態で、前記ストッパー１０３が固定されている。
【００９２】
このような状態のパウチ容器ディスペンサー１０１の本体１０２の底の開口から、前記パウチ容器４を前記本体１０２内へと挿入して、前記パウチ容器４のスパウト４２を前記本体１０２の凹部１０５の開口１０６から突出させると、図２６の状態となる。その後、前記滑り止め１１４を利用して前記ストッパー１０３を押して前記窪み１１３と前記本体１０２の突起１０９との係合を解除し、その後、前記ストッパー１０３を前記スパウト４２に向かってスライドさせると、前記窪み１１３に、前記本体１０２のもう１つの突起１０９が挿入されて係合され、前記ストッパー１０３のスライドが停止され、固定される。
【００９３】
このような前記ストッパー１０３のスライドによって、図２５（ａ）に示すように、前記ストッパー１０３の溝１１１内に前記スパウト４２の鍔部４５が挿入され、前記ストッパー１０３の略Ｕ字状の開口１１０の縁の互いに平行な直線部分が、前記スパウト４２の平行な面４４と接する状態となる。この時、図２５（ｂ）に示すように、前記ストッパー１０３の略Ｕ字状の開口１１０の溝１１１の半円部分にも前記スパウト４２の鍔部４５が挿入されており、前記ストッパー１０３によって、前記パウチ容器４が保持され固定された状態となる。
【００９４】
前記ストッパー１０３の窪み１１３と前記本体１０２の突起１０９との係合によって、前記ストッパー１０３のスライドは停止されていることから、前記スパウト４２の水平方向への移動は阻止されており、前記ストッパー１０３が停止された状態が保持される。そして、前記ストッパー１０３の溝１１１に前記スパウト４２の鍔部４５が挿入されることにより、前記スパウト４２の垂直方向への移動は阻止されて、前記スパウト４２は前記ストッパー１０３によって前記本体１０２から外れないように固定された状態となる。さらに、前記ストッパー１０３の略Ｕ字状の開口１１０の縁の互いに平行な直線部分が前記スパウト４２の平行な面４４と接し、前記ストッパー１０３の略Ｕ字状の開口１１０の周囲が、前記本体１０２の２つのリブ１０８によって挟まれて回転できない状態となっていることから、前記ストッパー１０３によって前記スパウト４２の回転は阻止されており、前記キャップ４３を開閉する際にも安定した状態を保持することができる。
【００９５】
このようにして、前記ストッパー１０３により、前記スパウト４２は垂直方向および水平方向への移動および回転が阻止され、前記パウチ容器４は前記パウチ容器ディスペンサー１０１に確実に固定された状態を維持することができ、安定した状態で、前記パウチ容器４内の収容物を使用することが出来るようになる。
【００９６】
次に、本発明の第５の実施形態の１０１’について図を用いて以下に詳細に説明する。図２７〜３０が本発明の第５の実施形態のパウチ容器ディスペンサー１０１’の斜視図である。前記パウチ容器ディスペンサー１０１’に取り付けるパウチ容器４については第１〜４の実施形態と同じものを用いることから詳細な説明は省略する。
【００９７】
第５の実施形態のパウチ容器ディスペンサー１０１’は、第３の実施形態と同様に２つのストッパー１０３’を用いた形態であり、図２７〜３０に示すように、本体１０２’、および、前記本体１０２’にスライド可能に取り付けられた２つのストッパー３’を備えており、前記本体１０２’内に収容したパウチ容器４のスパウト４２を２つの前記ストッパー１０３’で挟んで固定することで、パウチ容器４をそのまま使用することができる。
【００９８】
前記本体１０２’は、第３の実施形態の本体２’’と類似の形状を有しており、図２７〜３０に示すように、一体形成された上面および多角柱状側面からなり、底の部分は開口となっており、側面の下端には切り欠き１０７’が２箇所に対向するように設けられている。前記本体１０２’の上面には、図３０に示すように、互いに平行な２つのリブ１０８’、および、平面視略矩形の凹部１０５’が設けられている。前記凹部１０５’は対向する２つの側面から構成されているが、２つの側面は２つの前記リブ１０８’の側面であり、２つの前記リブ１０８’の間が前記凹部１０５’となる。
【００９９】
前記リブ１０８’は、図３０に示すように逆Ｌ字状の断面形状を有し、前記本体１０２’の上面には、図３０に示すように、前記リブ１０８’に沿って貫通孔１１５’が設けられている。そして、前記ストッパー１０３’のスライドを停止するための８つの半円柱状の窪み１０９’が、図３０に示すように、前記本体１０２’の上面に、前記貫通孔１１５’に沿って４つずつ設けられている。そして、前記凹部１０５’の底面の中心には、図２８，３０に示すように、前記パウチ容器４のスパウト４２が挿入される、円形の開口１０６’が設けられている。
【０１００】
２つの前記ストッパー１０３’は、図２７に示すように、互いに当接した時に、前記本体１０２’の上面全体を覆う大きさおよび形状を有しており、前記パウチ容器４を固定した状態では、前記本体１０２’の上面が完全に隠された状態となる。前記ストッパー１０３’はそれぞれ平面視略Ｕ字状の開口１１０’を有し、前記本体１０２’の上面に略Ｕ字状の開口１１０’が対向するように配置されている。そして、２つの前記ストッパー１０３’は互いに近づく方向および互いに離れる方向にスライド可能に前記本体１０２’の上面に取り付けられている。２つの前記ストッパー１０３’が互いに近づく方向にスライドすると、２つの前記略Ｕ字状の開口１１０’が繋がって１つの開口を形成する。
【０１０１】
前記略Ｕ字状の開口１１０’の縁には、水平方向に切り欠かれた溝１１１’が、略Ｕ字状に設けられており、前記溝１１１’には、前記パウチ容器４のスパウト４２の鍔部４５がそれぞれ挿入され、最終的には２つの前記溝１１１’に前記スパウト４２の鍔部４５はほぼ全てが挿入された状態となる。
【０１０２】
そして、前記ストッパー１０３’の底面（図３０の左側参照）には、前記略Ｕ字状の開口１１０’を挟むように、互いに平行な２つの溝１１２’が設けられている。前記溝１１２’の断面は略コ字状であり、前記本体１０２’のリブ１０８’が水平方向に挿入される大きさを有している。これにより、前記溝１１２’および前記リブ１０８’は互いに水平方向にスライド可能となり、２つの前記ストッパー１０３’は前記本体１０２’にそれぞれスライド可能に取り付けられる。
【０１０３】
前記ストッパー１０３’の２つの前記溝１１２’を形成する側壁１１６’の下端には、図３０に示すように、１つの半円柱状の突起１１３’がそれぞれ設けられている。前記ストッパー１０３’の突起１１３’が、前記本体１０２’の窪み１０９’に挿入されて係合することによって、前記ストッパー１０３’を、２つの前記ストッパー１０３’が互いに近づいて接触し、前記パウチ容器４を固定する位置（図２７の位置）、および、２つの前記ストッパー１０３’が互いに離れて前記パウチ容器４をパウチ容器ディスペンサー１０１’に着脱する位置（図２８，２９の位置）でそれぞれ停止させて固定することができる。このように、前記突起１１３’および前記窪み１０９’がストッパー１０３’を所定の位置で停止させるための停止部材として機能する。そして、前記窪み１０９’と前記突起１１３’との係合を解除すると、前記ストッパー１０３’は、前記パウチ容器４を固定する位置と、前記パウチ容器４をパウチ容器ディスペンサー１０１’に着脱する位置との間でスライド可能となる。
【０１０４】
前記ストッパー１０３’はそれぞれ、表面には窪み１１４’が設けられており、前記窪み１１４’を利用することにより前記ストッパー１０３’の固定の解除、および、スライド操作を容易に行うことができる。前記窪み１１４’を前記ストッパー１０３’の側面に設けることも可能であり、その他にも、突起、滑り止めを用いる等、様々な形態が可能である。
【０１０５】
前記パウチ容器４を前記パウチ容器ディスペンサー１０１’に取り付けて固定する方法について説明する。図２８に示すように、前記パウチ容器４を取り付ける前の前記パウチ容器ディスペンサー１０１’は、２つの前記ストッパー１０３’が互いに離れるようにスライドさせてあり、２つの前記ストッパー１０３’の突起１１３’は、前記本体１０２’の上面の両端側に位置する窪み１０９’とそれぞれ係合されて固定されている。これにより、前記本体１０２’の凹部１０５’の開口１０６’は開いた状態で、前記ストッパー１０３’が固定されている。
【０１０６】
このような状態のパウチ容器ディスペンサー１０１’の本体１０２’の底の開口から、前記パウチ容器４を前記本体１０２’内へと挿入して、前記パウチ容器４のスパウト４２を前記本体１０２’の凹部１０５’の開口１０６’から突出させると、図２９の状態となる。その後、前記窪み１１４’を利用して２つの前記ストッパー１０３’を互いに近づく方向に押して前記突起１１３’と前記本体１０２’の窪み１０９’との係合を解除し、その後、２つの前記ストッパー１０３’を互いに近づく方向にスライドさせると、前記突起１１３’が、前記本体１０２’の上面の中央側に位置する窪み１０９’に挿入されて係合され、２つの前記ストッパー１０３’のスライドが停止される。
【０１０７】
この時、２つの前記ストッパー１０３’は互いに接触しており、２つの前記ストッパー１０３’の略Ｕ字状の開口１１０’は繋がって１つの開口を形成し、１つの開口内に前記スパウト４２が位置することになる。そして、２つの前記ストッパー１０３’の略Ｕ字状の開口１１０’の溝１１１’内に、前記スパウト４２の鍔部４５のほぼ全周が挿入されている。このようにして、図２７に示すような状態となり、２つの前記ストッパー１０３’による前記パウチ容器４の固定が完了する。
【０１０８】
このような２つの前記ストッパー１０３’のスライドによって、２つの前記ストッパー１０３’が前記スパウト４２を両側から挟みこむような状態となり、２つの前記ストッパー１０３’の溝１１１’内に前記スパウト４２の鍔部４５が水平方向に挿入され、２つの前記ストッパー１０３’の略Ｕ字状の開口１１０’の縁の互いに平行な直線部分は、前記スパウト４２の平行な面４４と接する状態となる。この時、２つの前記ストッパー１０３’の略Ｕ字状の開口１１０’の溝１１１’の半円部分にも前記スパウト４２の鍔部４５が挿入されており、前記ストッパー１０３’によって、前記パウチ容器４が固定された状態となる。
【０１０９】
前記ストッパー１０３’の突起１１３’と前記本体１０２’の窪み１０９’との係合によって、２つの前記ストッパー１０３’のスライドは停止されていることから、前記スパウト４２の水平方向への移動は阻止されており、２つの前記ストッパー１０３’が停止された状態が保持される。そして、２つの前記ストッパー１０３’の溝１１１’に前記スパウト４２の鍔部４５が挿入されることにより、前記スパウト４２の垂直方向への移動は阻止されて、前記スパウト４２は２つの前記ストッパー１０３’によって前記本体１０２’から外れないように固定された状態となる。
【０１１０】
そして、２つの前記ストッパー１０３’の略Ｕ字状の開口１１０’の縁の互いに平行な直線部分が前記スパウト４２の平行な面４４と接し、２つの前記ストッパー１０３’の略Ｕ字状の開口１１０’の周囲が、前記本体１０２’の２つのリブ１０８’によって挟まれて水平方向に固定された状態となっていることから、２つの前記ストッパー１０３’によって前記スパウト４２の回転は阻止されており、前記キャップ４３を開閉する際にも安定した状態を保持することができる。
【０１１１】
このようにして、２つの前記ストッパー１０３’により、前記スパウト４２は垂直方向および水平方向への移動および回転が阻止され、前記パウチ容器４は前記パウチ容器ディスペンサー１０１’に確実に固定された状態とすることができ、安定した状態で、前記パウチ容器４内の収容物を使用することが出来るようになる。
【０１１２】
第５の実施形態のパウチ容器ディスペンサー１０１’は、２つのストッパー１０３’によって容器本体１０２’の上面全体を覆い隠すことから、よりシンプルな外観を提供することができる。
【０１１３】
本発明のパウチ容器ディスペンサーは、パウチ容器４をそのまま使用できるだけでなく、パウチ容器４を着脱する際も、キャップ４３を閉めた状態で安全に作業することができるようになり、また、ストッパーを本体の上面に重ねることで、パウチ容器ディスペンサーの上部の剛性を高めることもできる。
【符号の説明】
【０１１４】
１，１’，１’’，１０１，１０１’  パウチ容器ディスペンサー
２，２’，２’’，１０２，１０２’  本体
３，３’，１０３，１０３’  ストッパー
４        パウチ容器
５，５’，１０５，１０５’  凹部
６，６’，１０６，１０６’  開口
７，７’，１０７，１０７’  切り欠き
８，８’  開口
９，９’  切り欠き
１０，１０’，１１０，１１０’  略Ｕ字状の開口
１１，１１’，１１１，１１１’  溝
１２，１２’  凸部
１３，１３’  突起
１４      窪み
１５      凹部の一部分
２１      上部本体
２２      下部本体
２３      ヒンジ
２４      固定部材
４１      パウチ
４２      スパウト
４３      キャップ
４４      平行な面
４５      鍔部
１０８，１０８’  リブ
１０９    突起
１０９’  窪み
１１２，１１２’  溝
１１３    窪み
１１３’  突起
１１４    滑り止め
１１４’  窪み
１１５，１１５’  貫通孔
１１６，１１６’  側壁
【図１】
2019196222.tif 000003
【図２】
2019196222.tif 000004
【図３】
2019196222.tif 000005
【図４】
2019196222.tif 000006
【図５】
2019196222.tif 000007
【図６】
2019196222.tif 000008
【図７】
2019196222.tif 000009
【図８】
2019196222.tif 000010
【図９】
2019196222.tif 000011
【図１０】
2019196222.tif 000012
【図１１】
2019196222.tif 000013
【図１２】
2019196222.tif 000014
【図１３】
2019196222.tif 000015
【図１４】
2019196222.tif 000016
【図１５】
2019196222.tif 000017
【図１６】
2019196222.tif 000018
【図１７】
2019196222.tif 000019
【図１８】
2019196222.tif 000020
【図１９】
2019196222.tif 000021
【図２０】
2019196222.tif 000022
【図２１】
2019196222.tif 000023
【図２２】
2019196222.tif 000024
【図２３】
2019196222.tif 000025
【図２４】
2019196222.tif 000026
【図２５】
2019196222.tif 000027
【図２６】
2019196222.tif 000028
【図２７】
2019196222.tif 000029
【図２８】
2019196222.tif 000030
【図２９】
2019196222.tif 000031
【図３０】
2019196222.tif 000032